(57)【要約】【課題】タンクカバーを構成する複数のカバー体同士のずれを抑制できる便器装置を提供すること。【解決手段】便器本体２１と、便器本体２１に固定される便器洗浄タンク４と、便器洗浄タンク４を覆うタンクカバー５と、を有する便器装置１であって、タンクカバー５は、複数のカバー体５１、５２、５３に分割され、複数のカバー体５１、５２、５３のうちの少なくとも１つが、便器洗浄タンク４を介して間接的に又は直接的に便器本体２１に固定され、複数のカバー体５１、５２、５３のうちのその他のカバー体の少なくとも１つが、便器洗浄タンク４を介して間接的に又は直接的に便器本体２１に固定されているカバー体に対して固定されている。【選択図】図３
2019190228.tif 000002
【特許請求の範囲】
【請求項１】
便器本体と、前記便器本体に固定される便器洗浄タンクと、前記便器洗浄タンクを覆うタンクカバーと、を有する便器装置であって、
前記タンクカバーは、複数のカバー体に分割され、
前記複数のカバー体のうちの少なくとも１つが、前記便器洗浄タンクを介して間接的に又は直接的に前記便器本体に固定され、
前記複数のカバー体のうちのその他のカバー体の少なくとも１つが、前記便器洗浄タンクを介して間接的に又は直接的に前記便器本体に固定されている前記カバー体に対して固定されている、便器装置。
【請求項２】
前記タンクカバーは、前記便器洗浄タンクの前方を覆う前カバーと、前記便器洗浄タンクの側方及び後方を覆う後カバーと、に前後方向に分割されている、請求項１に記載の便器装置。
【請求項３】
前記便器洗浄タンクは、洗浄水を貯留するタンク本体と、前記タンク本体の両側面にそれぞれ配置される側面支持部材と、を有し、
前記後カバーは、前記側面支持部材に固定され、前記前カバーは、前記後カバーに固定されている、請求項２に記載の便器装置。
【発明の詳細な説明】
【技術分野】
【０００１】
本発明は、便器装置に関し、詳しくは、便器洗浄タンクが複数のカバー体で構成されるタンクカバーによって覆われている便器装置に関する。
【背景技術】
【０００２】
従来、便器洗浄タンクが複数のカバー体で構成されるタンクカバーによって覆われている便器装置が知られている（例えば、特許文献１参照）。
【先行技術文献】
【特許文献】
【０００３】
【特許文献１】特開２０１７−３５１７９号公報
【発明の概要】
【発明が解決しようとする課題】
【０００４】
便器洗浄タンクがタンクカバーにより覆われる便器装置では、例えば使用者がタンクカバーに凭れ掛かることによりタンクカバーに荷重が掛かった場合に、タンクカバーにずれが生じないようにすることが望まれる。
【０００５】
本発明は、タンクカバーを構成する複数のカバー体同士のずれを抑制できる便器装置を提供することを目的とする。
【課題を解決するための手段】
【０００６】
（１）  本発明に係る便器装置は、便器本体（例えば、後述の便器本体２１）と、前記便器本体に固定される便器洗浄タンク（例えば、後述の便器洗浄タンク４）と、前記便器洗浄タンクを覆うタンクカバー（例えば、後述のタンクカバー５）と、を有する便器装置（例えば、後述の便器装置１）であって、前記タンクカバーは、複数のカバー体（例えば、後述の前カバー５１、後カバー５２、上カバー５３）に分割され、前記複数のカバー体のうちの少なくとも１つが、前記便器洗浄タンクを介して間接的に又は直接的に前記便器本体に固定され、前記複数のカバー体のうちのその他のカバー体の少なくとも１つが、前記便器洗浄タンクを介して間接的に又は直接的に前記便器本体に固定されている前記カバー体に対して固定されている。
【０００７】
（２）  （１）に記載の便器装置において、前記タンクカバーは、前記便器洗浄タンクの前方を覆う前カバー（例えば、後述の前カバー５１）と、前記便器洗浄タンクの側方及び後方を覆う後カバー（例えば、後述の後カバー５２）と、に前後方向に分割されていることが好ましい。
【０００８】
（３）  （２）に記載の便器装置において、前記便器洗浄タンクは、洗浄水を貯留するタンク本体（例えば、後述のタンク本体４１）と、前記タンク本体の両側面にそれぞれ配置される側面支持部材（例えば、後述の側面フレーム部材４５１）と、を有し、前記後カバーは、前記側面支持部材に固定され、前記前カバーは、前記後カバーに固定されていることが好ましい。
【発明の効果】
【０００９】
本発明によれば、タンクカバーを構成する複数のカバー体同士のずれを抑制できる便器装置を提供することができる。
【図面の簡単な説明】
【００１０】
【図１】本発明に係る便器装置の斜視図である。
【図２】本発明に係る便器装置の便器洗浄タンクの内部を示す平面図である。
【図３】本発明に係る便器装置のタンクカバーを分解した様子を後方側から見た斜視図である。
【図４】本発明に係る便器装置の便器洗浄タンクを前方側から見た一部を分解して示す斜視図である。
【図５】便器洗浄タンクの下部構造の要部を拡大して示す断面図である。
【図６】側面フレーム部材を拡大して示す側面図である。
【図７】後カバーの要部を拡大して示す斜視図である。
【図８】前カバーの要部を拡大して示す斜視図である。
【図９】図７中のＡ−Ａ線に沿う部位の前カバーと後カバーとの係合構造を拡大して示す断面図である。
【図１０】タンクカバーの前カバーと後カバーとを組み付けた状態を後方側から見た便器洗浄タンクの斜視図である。
【図１１】前カバーと上カバーとの取付け構造を示す要部断面図である。
【図１２】後カバーの突出部を示す要部断面図である。
【発明を実施するための形態】
【００１１】
以下、本発明の実施形態について図面を参照して詳細に説明する。
本実施形態に示す便器装置１は、図１に示すように、便器２が床面ｆ１に設置される床置きタイプの便器装置を示している。便器装置１は、便器２と、便器洗浄装置３と、を備えている。なお、以下の説明において、便器２に着座した使用者から見た場合の前後の向きを前後方向とする。また、便器２に着座した使用者から見た場合の左右の向きを幅方向とする。更に、便器２が設置される床面に対する鉛直方向に沿う上下の向きを上下方向とする。
【００１２】
便器２は、立壁面ｆ２に近接した床面ｆ１上に設置されている。便器２は、便器本体２１の上部に回動可能に取り付けられた便座２２及び便蓋２３と、これら便座２２及び便蓋２３の後方に配置される便座装置の機能部２４と、を有している。便器本体２１の後部の両側面には、それぞれサイドカバー２１１が面ファスナー等によって着脱可能に取り付けられ、便器本体２１の後部を遮蔽している。
【００１３】
便器洗浄装置３は、便器本体２１の後方に配置されている。便器洗浄装置３は、便器洗浄タンク４と、便器洗浄タンク４の外装体であるタンクカバー５と、を含んで構成される。
便器洗浄タンク４は、図４に示すように、タンク本体４１と、内蓋４２と、ベースプレート４３と、防露材４４と、補強フレーム４５と、を備えている。
【００１４】
タンク本体４１は、ブロー成形品からなる。ブロー成形されたタンク本体４１の上面開口部４１１（図２参照）は、ブロー成形品の上部を略水平方向に切断することによって形成される。このため、ブロー成形品は、前後方向に離型することによって成形でき、射出成形品のような離型のための抜き勾配を上下方向に設ける必要がない。その結果、タンク本体４１の外周面は、上下方向に沿って真っ直ぐな面となり、床面に対して垂直に延びた側壁面を構成することができる。このため、タンク本体４１は、抜き勾配に起因するタンク容積の減少が少なく、奥行き寸法を小さくして薄型化しても、射出成形品に比べてタンク容積を大きく確保することが可能である。その結果、このタンク本体４１を有する便器洗浄タンク４を備えた便器装置１は、便鉢２１ｂの大きさを変更することなく、前後方向の寸法（前出寸法）を縮小化することが可能である。
【００１５】
タンク本体４１の内部には、洗浄水が貯留されると共に、図２に示すように、便器洗浄用の内部部品が収容されている。具体的には、タンク本体４１内には、給水を行うボールタップ４ａ、ボールタップ４ａの止水を行うためのフロート４ｂ、洗浄水の水位を制限すると共に便器本体２１に補給水を供給するためのオーバーフロー管４ｃ、排水口を開閉するフラッパー弁４ｄ、フラッパー弁４ｄを引き上げる玉鎖４ｅ、玉鎖４ｅを引き上げ操作するための引上げアーム４ｆ等が収容されている。引上げアーム４ｆには、タンクカバー５の外側に取り付けられるレバーハンドル４ｇのスピンドル４ｈが連結されている。
【００１６】
内蓋４２は、タンク本体４１の上面開口部４１１を被蓋するように設けられている。内蓋４２は、内蓋本体４２１と、点検蓋４２２とで構成される。内蓋本体４２１は、上面開口部４１１の全周に沿って装着され、タンク本体４１に対してねじ止めされている。一方、点検蓋４２２は、タンク本体４１に対してねじ止めされておらず、内蓋本体４２１に対して着脱可能に取り付けられている。このため、内蓋４２は、内蓋本体４２１から点検蓋４２２を取り外すことにより、ねじ止めされている内蓋本体４２１を取り外すことなく、タンク本体４１の内部に対してアクセス可能である。
【００１７】
ベースプレート４３は、タンク本体４１の下部に取り付けられている。本実施形態に示すベースプレート４３は、タンク本体４１よりも硬質な樹脂によって形成され、タンク本体４１の底面形状と略等しい平面形状を有している。ベースプレート４３は、タンク本体４１の下面を支持すると共に、ベースプレート４３の底部から突出する一対の緊締ボルト４３１（図４参照）によって、便器本体２１の後部側の上面２１ａに固定されることにより、タンク本体４１を便器本体２１に固定する機能を有する。
【００１８】
タンク本体４１とベースプレート４３との取付け構造を図５に示す。タンク本体４１の底面４１２に、円形の下面開口部４１３が形成されている。この下面開口部４１３には、略円筒状の弁座シート４６が装着されている。弁座シート４６は、タンク本体４１の内部部品の一つであるフラッパー弁４ｄ（図５において図示せず）の弁座を構成する部品であり、下面開口部４１３よりも大径なフランジ部４６１を有している。弁座シート４６は、フランジ部４６１とタンク本体４１との間にパッキン４６ａを挟んで、タンク本体４１の内側から装着されている。
【００１９】
弁座シート４６は、フランジ部４６１よりも下方側に、外周面に雄ねじを有する円筒部４６２を一体に有し、この円筒部４６２が下面開口部４１３から下方に突出している。弁座シート４６は、下面開口部４１３から突出する円筒部４６２に、タンク本体４１の外側から締付けナット４６ｂが螺合することにより、タンク本体４１に取り付けられている。
【００２０】
一方、ベースプレート４３の中央部には、円形の開口部４３２が設けられ、この開口部４３２に、タンク本体４１の下面から突出する弁座シート４６の円筒部４６２が貫挿されている。そして、この開口部４３２から下方に突出する円筒部４６２に締付けナット４６ｃが螺合することにより、ベースプレート４３が締付けナット４６ｃとタンク本体４１との間で挟着されている。これにより、タンク本体４１の下部にベースプレート４３が固定される。
【００２１】
タンク本体４１に固定されたベースプレート４３は、下面に突設される一対の緊締ボルト４３１を、便器本体２１の設けられるタンク取付け穴（図示せず）に挿入させて固定される。これにより、タンク本体４１がベースプレート４３を介して便器本体２１に固定される。便器本体２１に固定されたタンク本体４１の円筒部４６２は、便器本体２１の洗浄水流入口（図示せず）と連通し、タンク本体４１内の洗浄水を便器本体２１に供給可能とされる。
【００２２】
防露材４４は、発泡スチロール樹脂等により、タンク本体４１の外周面に沿った形状に成形されている。本実施形態に示す防露材４４は、前側防露材４４１と後側防露材４４２とに２分割され、タンク本体４１を前後方向から挟むようにタンク本体４１の外周面に装着されている。防露材４４は、少なくともタンク本体４１内に貯留される洗浄水の水位に対応する高さを有する。
【００２３】
この防露材４４は、前側防露材４４１と後側防露材４４２とに前後方向に２分割されているため、成形型から離型するための抜き勾配が前後方向に設けられ、上下方向には抜き勾配は設けられない。これにより、前側防露材４４１と後側防露材４４２とが組み合わされて構成される防露材４４は、便器洗浄タンク４の前面側及び後面側において上下方向に沿って垂直に延びる面を形成することができる。その結果、便器洗浄タンク４を薄型化しても、防露材の抜き勾配に起因する便器洗浄タンク４のタンク容積の減少を招くおそれはない。しかも、本実施形態に示すタンク本体４１にも上下方向の抜き勾配が設けられていないことと相俟って、便器洗浄タンク４の更なる薄型化を図ることが可能となり、便器装置１の前後方向の寸法（前出寸法）を更に縮小化することが可能である。
【００２４】
本実施形態に示す補強フレーム４５は、図４に示すように、便器洗浄タンク４の両側面に配置される金属製の側面フレーム部材４５１と、便器洗浄タンク４の前面側に幅方向に延びるように配置される金属製の補強ステー４５２と、を有している。なお、図４では、便器本体２１を破線で示し、便器本体２１上の便座２２、便蓋２３、便器装置の機能部２４及びタンクカバー５の図示を省略している。
【００２５】
側面フレーム部材４５１は、本発明における側面支持部材に対応する。側面フレーム部材４５１は、ベースプレート４３の幅方向の両端面４３ａに、それぞれ固定ねじ４５ａによって固定されている。側面フレーム部材４５１は、ベースプレート４３からタンク本体４１の略１／２の高さに亘る範囲の便器洗浄タンク４の側面を覆うように配置されている。側面フレーム部材４５１は、平面視コ字型に形成されており、ベースプレート４３に取り付けられることによって、前側防露材４４１と後側防露材４４２とが前後に開かないように、２分割されている防露材４４を前後方向から挟持している。
【００２６】
側面フレーム部材４５１の下端部には、図６に示すように、固定ねじ４５ａを挟んでベースプレート４３の端面４３ａの前後端部にそれぞれ設けられた凸部４３３に係合する凹部４５１ａをそれぞれ有している。側面フレーム部材４５１は、これに凹部４５１ａがベースプレート４３の凸部４３３に係合することにより、固定ねじ４５ａを中心として回動することが阻止され、ベースプレート４３に対して強固に固定される。
【００２７】
なお、ベースプレート４３よりも下方にはみ出した側面フレーム部材４５１の下端部は、後述する下カバー５４の取り付け部となっている。ここには、２つのねじ穴４５１ｂと、その間に１つのボス穴４５１ｃとが形成されている。下カバー５４は、下カバー５４に設けられたボス（図示せず）をボス穴４５１ｃに係合させた状態で、各ねじ穴４５１ｂを利用してねじ固定される。
【００２８】
補強ステー４５２の両端部は、左右の側面フレーム部材４５１に固定ねじ４５ｂによってそれぞれ固定されている。これにより、左右の側面フレーム部材４５１同士が補強ステー４５２によって連結され、側面フレーム部材４５１に生じるスプリングバック等によって側面フレーム部材４５１が左右方向に広がることを防止している。
【００２９】
補強フレーム４５は、使用者がタンクカバー５に凭れ掛かった際に、その荷重を受けてタンク本体４１に荷重を直接作用させないように機能する。補強ステー４５２に作用する荷重は、補強ステー４５２の両端部から各側面フレーム部材４５１に伝達される。側面フレーム部材４５１は、タンク本体４１よりも堅牢なベースプレート４３に固定されているため、補強ステー４５２から伝達される荷重を効果的に受け止め、ベースプレート４３を介して便器本体２１に逃がすことができる。
【００３０】
なお、前後方向に分割された防露材４４は、抜き勾配も前後方向に設けられるため、図４に示すように、前側防露材４４１の前面には、補強フレーム４５の補強ステー４５２を収容する凹部４４ａと側面フレーム部材４５１を収容する凹部４４ｂとを有することができる。この凹部４４ａ、４４ｂにより、補強フレーム４５の前方への突出量を抑えることができるため、補強フレーム４５を設けてもタンク本体４１のタンク容積の減少を招くことなく、便器洗浄タンク４を薄型化することができる。
【００３１】
タンクカバー５は、図１〜図３に示すように、便器洗浄タンク４の前方を覆う前カバー５１と、便器洗浄タンク４の側方及び後方を覆う後カバー５２と、便器洗浄タンク４の上方を覆う上カバー５３と、を有している。これら前カバー５１、後カバー５３及び上カバー５３は、本発明のカバー体に対応する。これにより、便器洗浄タンク４の全体がタンクカバー５によって遮蔽され、見栄えが良好となり、意匠性が向上する。
【００３２】
後カバー５２は、便器洗浄タンク４の両側方にそれぞれ設けられた側面フレーム部材４５１に対して、固定ねじ５２ａによってねじ止めされる。このため、後カバー５２の固定基準は側面フレーム部材４５１となる。側面フレーム部材４５１は、ベースプレート４３に固定され、ベースプレート４３は便器本体２１に固定されているため、後カバー５２は、便器洗浄タンク４の側面フレーム部材４５１及びベースプレート４３を介して間接的に便器本体２１に固定される。
【００３３】
一方、前カバー５１は、後カバー５２に対して前後方向に分割されている。また、上カバー５３は、後カバー５２に対して上下方向に分割されている。前カバー５１及び上カバー５３は、後カバー５２に対して取り外し可能に設けられている。
【００３４】
前カバー５１及び上カバー５３は、後カバー５２に取り付けられるため、これらの固定基準は、いずれも同じ後カバー５２となり、前カバー５１、後カバー５２及び上カバー５３の間のずれの発生は抑制される。しかも、使用者が前カバー５１に凭れ掛かる等することによって前カバー５１に荷重が掛かった際は、その荷重を後カバー５２、側面フレーム部材４５１及びベースプレート４３を介して、便器本体２１に逃がすことができる。
【００３５】
便器洗浄タンク４の下方且つ便器２の後方は、側面フレーム部材４５１の下端部に取り付けられた下カバー５４によって覆われている。これにより、便器２の後方に配置される配管部品（図示せず）等が目隠しされると共に、便器２の後方側が、便器洗浄装置３から下方向に延びる薄型の略直方形状に統一され、意匠性が更に向上する。
【００３６】
タンクカバー５の前カバー５１は、図２及び図１２に示すように、便器装置１を側面視した場合に垂直となるように配置されていると共に、前方に向けて凸となるように幅方向に湾曲している。上記したように、タンク本体４１は上下方向の抜き勾配を有しておらず、床面に対して垂直に延びた側壁面を有するため、前カバー５１をタンク本体４１に可及的に近接させることができる。また、前カバー５１は前方に向けて幅方向に湾曲しているため、前カバー５１が平坦面である場合に比べて、前方へ湾曲している分だけタンク本体４１を大きくすることができる。これにより、タンク本体４１のタンク容積を確保することが可能である。しかも、前カバー５１は側面視垂直であるため、便座２２や便蓋２３を上方に回動させた際に、前カバー５１と接触しにくくなり、タンクカバー５と便座２２や便蓋２３との距離を可及的に近接させることができる。
【００３７】
タンクカバー５の前カバー５１は、後カバー５２に対して分割されており、取り外し可能であるため、便器洗浄タンク４のメンテナンスの際は、前カバー５１を取り外すことにより、便器洗浄タンク４に容易にアクセス可能である。このとき、便器洗浄タンク４自体を便器本体２１から取り外す必要はないため、メンテナンス作業も容易に行うことができる。
【００３８】
本実施形態に示す前カバー５１は、後カバー５２の前方から取り付け及び取り外し可能に取り付けられてもよいが、後カバー５２に対して上方に向けて取り外し可能であることが好ましい。これにより、タンクカバー５の下部前方に配置される便座２２、便蓋２３及び便座装置の機能部２４を便器本体２１に取り付けた状態のまま、前カバー５１を取り外して便器洗浄タンク４に対してアクセスすることが可能となり、便器洗浄タンク４のメンテナンス性を更に向上させることができる。
【００３９】
ここで、本実施形態に示すタンクカバー５の前カバー５１と後カバー５２との取付け構造について、図７〜図９を用いて説明する。
先ず、図７に示すように、後カバー５２の前端部５２１の外側に、上下方向に沿う前側突条部５２２及び後側突条部５２３が設けられている。前側突条部５２２と後側突条部５２３とは平行である。このうちの後側突条部５２３は、後カバー５２の上下方向の略全長に亘って形成されているのに対し、前側突条部５２２は、後カバー５２の上下方向に一定の間隔を置いて複数に分割されている。これにより、後カバー５２の前端部の外側には、前側突条部５２２が設けられている部位のみに、前側突条部５２２と後側突条部５２３との間に溝５２４が形成される。
【００４０】
一方、図２に示すように、前カバー５１は、後カバー５２よりも僅かに幅広に形成されることにより、後カバー５２の両側方にそれぞれ張り出すオーバーハング形状を有する。これにより、便器装置１を正面視（前方側から観察）した場合、後カバー５２が前カバー５１に覆い隠され、前カバー５１の両側からはみ出さず、見栄えが良くなる。しかも、図１に示すように、前カバー５１の上部も、後カバー５２よりも僅かに上方に張り出すように形成され、後カバー５２の高さ方向も覆い隠している。このため、後カバー５２の全体が前カバー５１の背面に覆い隠されるので、便器装置１の意匠性が更に向上する。
【００４１】
前カバー５１には、幅方向の両端縁から上端縁に亘って、外周リブ５１１が形成されている。外周リブ５１１は、後カバー５２の前端部５２１の溝５２４を覆うことができるように、後方に向けて突出している。このうち、前カバー５１の幅方向の両端に配置される外周リブ５１１ａの内側には、後カバー５２の溝５２４と係合可能な係合突起５１２が、上下方向に間隔をおいて複数形成されている。１つの係合突起５１２の上下方向の長さは、後カバー５２の上下に隣接する前側突条部５２２の間隔よりも僅かに短く形成されている。
【００４２】
前カバー５１を後カバー５２に取り付ける場合は、上下に隣接する前側突条部５２２の間を通って係合突起５１２を後側突条部５２３に当接させた後、後側突条部５２３に沿って下方にスライド移動させることにより、図９に示すように、前カバー５１の係合突起５１２を、前側突条部５２２と後側突条部５２３との間の溝５２４に係合させる。これにより、前カバー５１は、後カバー５２に対して上方向にスライド移動可能に取り付けられる。前カバー５１の取り付け及び取り外しは、前カバー５１の係合突起５１２を上下に隣接する前側突条部５２２の間を通すことによって行うことができるため、前カバー５１の取り付け及び取り外しのための移動ストロークを短くすることができる。
【００４３】
前カバー５１の係合突起５１２は、外周リブ５１１ａの内側に設けられているため、前カバー５１の前面に、係合突起５１２を設けることに起因するヒケが形成されず、前カバー５１の外観も良好となる。更に、前カバー５１の外周リブ５１１ａによって、前カバー５１と後カバー５２との係合部分を覆い隠すことができるため、便器装置１の側方からの見栄えも良好となる。
【００４４】
後カバー５２に取り付けられた前カバー５１は、図８、図１０及び図１１に示すように、前カバー５１の裏面に設けられた一対の取付け片５１３を利用して、後カバー５２の上端部に設けられた前カバー取付け部５２５に対して、上方から固定ねじ５１ａによって固定される。このため、便器洗浄タンク４を便器本体２１に固定した状態のまま、前カバー５１の取り外しが可能である。これにより、前カバー５１の交換や意匠替えを容易に行うことができる。
【００４５】
上カバー５３は、前カバー５１が後カバー５２に固定された後に、後カバー５２の上部に取り付けられる。図１０及び図１１に示すように、上カバー５３の前端中央部には、上方に向けて突出する突起部５３１を有している。一方、前カバー５１の上端側の外周リブ５１１ｂの中央部には、図７及び図９に示すように、外周リブ５１１ｂの内端側が下方に向けて更に屈曲されることにより、上カバー５３の突起部５３１を収容する収容溝５１５が形成されている。
【００４６】
上カバー５３は、突起部５３１を前カバー５１の収容溝５１５に収容することにより、後カバー５２の上部に装着される。その後、上カバー５３は、固定ねじ５３ａによって、後カバー５２の前端部５２１の上端に設けられたねじ穴５２６に固定される。これにより、前カバー５１の上端部は、上カバー５３と係合するため、前カバー５１の前方への抜け外れが防止される。なお、上カバー５３の上面は、図１０及び図１１に示すように、後方に向けて下り傾斜している。前カバー５１の上端部は、この上カバー５３も背面に覆い隠すように延びているため、便器装置１の正面側から上カバー５３も見えにくくなっている。
【００４７】
なお、図７、図１０及び図１２に示すように、後カバー５２の上部には、中央部よりもやや幅方向の一方側に寄った位置に、背面側から前方に向けて大きく凹むことにより、タンクカバー５の内側に配置される突出部５２７が形成されている。この突出部５２７は、便器洗浄タンク４が操作スイッチの操作により自動洗浄される自動洗浄タイプとする場合に、タンクカバー５内に、自動洗浄のためのギヤボックス等の駆動ユニットを載置する載置部とすることができる。
【００４８】
以上の実施形態では、前カバー５１は、後カバー５２に対してねじ固定されるが、側面フレーム部材４５１に対してねじ固定されてもよい。また、前カバー５１及び／又は後カバー５２は、便器本体２１に対して直接固定されてもよい。
【符号の説明】
【００４９】
１  便器装置
２１  便器本体
４  便器洗浄タンク
４１  タンク本体
４５１  側面フレーム部材
５  タンクカバー
５１  前カバー（カバー体）
５２  後カバー（カバー体）
５３  上カバー（カバー体）
【図１】
2019190228.tif 000003
【図２】
2019190228.tif 000004
【図３】
2019190228.tif 000005
【図４】
2019190228.tif 000006
【図５】
2019190228.tif 000007
【図６】
2019190228.tif 000008
【図７】
2019190228.tif 000009
【図８】
2019190228.tif 000010
【図９】
2019190228.tif 000011
【図１０】
2019190228.tif 000012
【図１１】
2019190228.tif 000013
【図１２】
2019190228.tif 000014